(57)【要約】【課題】  燃料電池の動作情報を外部に表示し、安全性とメンテナンス時の利便性を高めたガスメーターを提供すること。【解決手段】  電源である燃料電池１と、燃料電池１の動作検出とガス流量検出を行う制御部２と、燃料電池１の動作検出した情報とガス流量検出した情報を表示する表示手段３を備え、本来はガス流量の計量情報を伝送する表示手段３を共用利用している。これによって、燃料電池１の動作情報を外部に表示し、燃料電池１の動作状況が容易に外部から確認でき、安全性とメンテナンス時の利便性をより高めることができる。【選択図】  図１
2005083748.tif 000002
【特許請求の範囲】
【請求項１】
電源である燃料電池と、前記燃料電池の動作検出とガス流量検出を行う制御部と、前記燃料電池の動作検出の情報と前記ガス流量検出の情報を表示する表示手段とを備えたガスメーター。
【請求項２】
表示手段は、燃料電池の動作検出の情報とガス流量検出の情報の表示切替手段を備えた請求項１記載のガスメーター。
【請求項３】
表示手段は、表示の自己保持手段を有する請求項１記載のガスメーター。
【請求項４】
表示手段は、燃料電池の動作異常検出時に、燃料電池の異常検出情報を表示する請求項１記載のガスメーター。
【請求項５】
燃料電池の動作異常検出時に、報知音発生手段を備えた請求項４記載のガスメーター。
【発明の詳細な説明】
【技術分野】
【０００１】
本発明は、自己発電機能を有するガスメーターに関するものである。
【背景技術】
【０００２】
従来、ガスメーターはガス流量検出した情報を主に表示するものであった（例えば、非特許文献１参照）。
【０００３】
図３は、従来のガス保安メーターを示すものである。図３において、２はガス流量検出を行う制御部、３はガス流量検出した情報を表示する表示手段である。
【非特許文献１】社団法人  日本ガス協著「業務用マイコンメーター（３０〜１２０号）技術資料」、平成７年１０月
【発明の開示】
【発明が解決しようとする課題】
【０００４】
しかしながら、前記従来の構成では、燃料電池を動作電源として使用しないので、電源構成が簡潔であり、動作状況を詳細に監視する必要がなく、ガスメーターの有する表示機能構成では、電源である燃料電池の詳細な動作状況を確認ができる手段がないという課題を有していた。
【０００５】
本発明は、前記従来の課題を解決するもので、ガスメーターがガス流量の計量情報を表示する表示手段を活用し、燃料電池の動作情報を外部に表示し、安全性とメンテナンス時の利便性を高めたガスメーターを提供することを目的とする。
【課題を解決するための手段】
【０００６】
前記従来の課題を解決するために、本発明のガスメーターは、ガス流量の計量情報を表示する表示手段を活用し、燃料電池の動作情報を外部に表示できるようにしたものである。  これによって、燃料電池の動作状況が容易に外部から確認でき、安全性とメンテナンス時の利便性をより高めることができる。
【発明の効果】
【０００７】
以上のように、本発明によれば、ガス流量の計量情報を表示する表示手段から、燃料電池の動作情報を外部に表示することにより、燃料電池の動作状況が容易に外部から確認でき、安全性とメンテナンス時の利便性をより高めることができる
【発明を実施するための最良の形態】
【０００８】
請求項１に記載の発明は、ガスメーターがガス流量の計量情報を表示する表示手段を活用し、燃料電池の動作情報を外部に表示することにより、燃料電池の動作状況が容易に外部から確認でき、安全性とメンテナンス時の利便性を高めることができる。
【０００９】
請求項２記載の発明は、請求項１に記載の表示手段を、燃料電池の動作検出した情報とガス流量検出した情報をひとつの表示器に切り替えて表示することにより、表示器を減らすことができる。
【００１０】
請求項３記載の発明は、特に、請求項１に記載の表示手段に自己保持機能を備えるため、表示内容が変化しない限り、ガスメーターの制御部が新たに表示手段を駆動する必要がなく、省電力ができる。
【００１１】
請求項４記載の発明は、請求項１に記載の表示手段の表示内容を、万が一燃料電池が故障した場合には異常情報として表示するため、燃料電池の動作確認の利便性を向上することができる。
【００１２】
請求項５記載の発明は、特に、請求項４に記載の燃料電池の異常検出時に、報知音発生を付加することにより、燃料電池が故障した場合の認識性がさらに高まるため、敏速な故障対応が可能となる。
【００１３】
以下、本発明の具体的な実施の形態について、図を参照しながら説明する。
【００１４】
（実施の形態１）
図１は、本発明の実施の形態１におけるガスメーターを示すものである。図１において、１はガスメーターに内蔵されガスメーターの動作電源となる燃料電池である。２は燃料電池の動作検出とガス流量検出を行う制御部である。３は燃料電池の動作検出した情報とガス流量検出した情報をひとつの表示器に表示する表示手段である。４は燃料電池の動作検出した情報とガス流量検出した情報をひとつの表示器に切り替えて表示するための表示切替手段である。５は燃料電池の動作異常検出時に、報知音を発生する報知音発生手段である。
【００１５】
以上のように構成されたガスメーターについて、図２に示す作動フローチャートを用いて以下その動作、作用を説明する。
【００１６】
まず、ガスメーターの制御部２は、常に燃料電池１の動作状況とガス流量を監視しており、表示切替手段４がガス流量表示側であれば、ガス流量の計量情報を表示手段３に表示している（作動フローチャート中の６）。ここで表示切替手段を燃料電池動作情報表示側にすると（作動フローチャート中の７）、ガスメーターの制御部２は、その時点の燃料電池の出力パワーおよびエラー情報等の動作情報を表示手段３を切り替えて表示する（作動フローチャート中の８）。また、燃料電池の動作異常が発生した場合は（作動フローチャート中の９）、その異常動作情報を表示手段３に優先して表示し（作動フローチャート中の１０）、さらに報知音発生手段５によりブザーを連続して鳴らす。
【００１７】
このように表示手段３に燃料電池の動作情報を表示することで燃料電池の作動状況が容易に外部から確認でき、安全性とメンテナンス時の利便性を高めることができる。また、燃料電池の動作検出した情報とガス流量検出した情報をひとつの表示器に切り替えて表示することにより、表示器を減らすことができる。さらに、燃料電池の異常検出時に、報知音発生を付加することにより、燃料電池が故障した場合の認識性がさらに高まる。
【００１８】
以上のように、本実施の形態においては、ガス流量の計量情報を表示する表示手段から、燃料電池の動作情報を外部に表示することにより、燃料電池の動作状況が容易に外部から確認でき、安全性とメンテナンス時の利便性をより高めることができる。
【産業上の利用可能性】
【００１９】
本発明のガスメータは、計量情報を表示する表示手段を、動作情報を表示する手段として共用して使うことが必要な技術分野等の用途にも適用できる。
【図面の簡単な説明】
【００２０】
【図１】本発明の実施の形態におけるガスメーターの構成図
【図２】同ガスメーターの表示の作動フローチャート
【図３】従来のガスメーターの構成図
【符号の説明】
【００２１】
１  燃料電池
２  制御部
３  表示手段
４  表示切替手段
５  報知音発生手段
【図１】
2005083748.tif 000003
【図２】
2005083748.tif 000004
【図３】
2005083748.tif 000005